(57)【特許請求の範囲】
【請求項１】
電線を支持する腕金に取り付けられて、前記腕金に雪が積もるのを防止する腕金積雪防止具において、
腕金に乗せられる絶縁性材料製のベース部と、
前記ベース部に固定され、前記ベース部の上面側、前記ベース部及び前記腕金の両側面側を覆う絶縁性材料製のカバー部と、を有し、
前記カバー部は、
前記ベース部の上方に位置し、前記腕金の長手方向に対して直交する断面の形状が上方に向かって凸の半円形状で且つ雪が滑り落ちる滑らかな表面の頂面部分と、
前記頂面部分の一方の下端側に滑らかに接続されて、前記ベース部の一方の側面及び前記腕金の一方の側面を覆う第１側面部分と、
前記頂面部分の他方の下端側に滑らかに接続されて、前記ベース部の他方の側面及び前記腕金の他方の側面を覆う第２側面部分と、を有し、
前記第１側面部分及び前記第２側面部分が前記腕金に固定され、
前記カバー部は、前記腕金の上方側で、且つ、前記腕金の長手方向に沿った両端の開口部分が絶縁性材料製の蓋部材によって塞がれた、
ことを特徴とする腕金積雪防止具。
【請求項２】
前記カバー部は、透明な絶縁性樹脂材料で形成され、
前記ベース部の上面が黄色に着色された、
ことを特徴とする請求項１に記載の腕金積雪防止具。
【請求項３】
前記ベース部の上面には、Ｎ極に着磁された永久磁石とＳ極に着磁された永久磁石とが前記腕金の長手方向に沿って交互に複数配置された、
ことを特徴とする請求項１に記載の腕金積雪防止具。
【請求項４】
前記カバー部は、透明な絶縁性樹脂材料で形成され、
前記ベース部の上面には、Ｎ極に着磁された永久磁石とＳ極に着磁された永久磁石とが前記腕金の長手方向に沿って交互に複数配置され、
前記Ｎ極に着磁された永久磁石とＳ極に着磁された永久磁石の上面が黄色に着色された、
ことを特徴とする請求項１に記載の腕金積雪防止具。
【請求項５】
前記ベース部の上方には、前記カバー部によって囲まれた空間が形成され、
前記空間内には、前記カバー部の前記頂面部分の内面側に取り付けられた吊り下げ線によってリング状の永久磁石が揺れ動ける状態で吊り下げられ、
前記リング状の永久磁石は、表裏の一方側がＮ極に着磁され、表裏の他方側がＳ極に着磁された、
ことを特徴とする請求項１乃至４のいずれかに記載の腕金積雪防止具。
【請求項６】
前記ベース部は、前記腕金に固定される第１ベース部と、前記第１ベース部に対してスライド移動可能に取り付けられて前記腕金の長手方向に沿った方向に移動させられる第２ベース部と、を有し、
前記カバー部は、前記第１ベース部に固定される第１カバー部と、前記第１カバー部の内側にスライド移動可能に配置されて前記第２ベース部に固定される第２カバー部と、を有し、
前記第２カバー部は、前記第２ベース部が前記腕金の長手方向に沿って移動させられることによって、前記第２ベース部と一体になって前記腕金の長手方向に沿って移動させられて、前記第１カバー部の内側に出し入れされ、全体が前記第１カバー部の内側に収容された状態で前記第１カバー部と共に前記腕金に固定され、前記第１カバー部の内側から引き出された状態で前記第１カバー部と別に前記腕金に固定される、
ことを特徴とする請求項１乃至５のいずれかに記載の腕金積雪防止具。
【発明の詳細な説明】
【技術分野】
【０００１】
この発明は、電線を支持するために電柱等に設置された腕金への積雪を防止する腕金積雪防止具に関する。
【背景技術】
【０００２】
雪が多く降る寒冷地の降雪期において、電線を支持するために電柱等に設置された腕金に雪が積もり、その腕金に積もった雪の一部が昼に溶けた後、その溶けた雪が夜になって氷結してつららとなる。そして、腕金に氷着したつららは、金属製の腕金が昼の外気温の上昇に伴って暖められると、腕金との氷着部分が溶けて腕金から落下するという問題があった。
【０００３】
このような問題を解決するには、図８に示すように、カバー１００で腕金１０１，１０１の上部を覆い、雪が腕金１０１，１０１に直接積もるのを防止することが考えられる（特許文献１参照）。
【先行技術文献】
【特許文献】
【０００４】
【特許文献１】特開平９−２８２６７号公報
【発明の概要】
【発明が解決しようとする課題】
【０００５】
しかしながら、図８に示すカバー１００は、鳥害等を防止するために、電柱１０２の周りの一対の腕金１０１，１０１に跨って取り付けられたものであり、曲率が小さく、雪が積もってしまい、腕金１０１への積雪を防止する機能が小さい。したがって、図８に示すカバー１００は、腕金１０１への積雪に起因するつららの発生及びつららの落下を防止し得るものではなかった。
【０００６】
そこで、本発明は、腕金への積雪を防止でき、腕金への積雪に起因するつららの発生及びつららの落下を防止できる腕金積雪防止具を提供する。
【課題を解決するための手段】
【０００７】
本発明は、電線を支持する腕金２に取り付けられて、前記腕金２に雪が積もるのを防止する腕金積雪防止具１に関するものである。
そして、本発明に係る腕金積雪防止具１は、腕金２に乗せられる絶縁性材料製のベース部４と、前記ベース部４に固定され、前記ベース部４の上面側、前記ベース部４及び前記腕金２の両側面１２，１３側を覆う絶縁性材料製のカバー部５と、を有している。
また、本発明に係る腕金積雪防止具１の前記カバー部５は、
前記ベース部４の上方に位置し、前記腕金２の長手方向に対して直交する断面の形状が上方に向かって凸の半円形状で且つ雪が滑り落ちる滑らかな表面の頂面部分１４と、
前記頂面部分１４の一方の下端側に滑らかに接続されて、前記ベース部４の一方の側面１２及び前記腕金２の一方の側面１３を覆う第１側面部分１５と、
前記頂面部分１４の他方の下端側に滑らかに接続されて、前記ベース部４の他方の側面１２及び前記腕金２の他方の側面１３を覆う第２側面部分１６と、を有している。
そして、前記第１側面部分１５及び前記第２側面部分１６が前記腕金２に固定されている。
また、本発明に係る腕金積雪防止具１の前記カバー部５は、前記腕金２の上方側で、且つ、前記腕金２の長手方向に沿った両端の開口部分２４が絶縁性材料製の蓋部材２５によって塞がれている。
【発明の効果】
【０００８】
本発明の腕金積雪防止具によれば、腕金を覆うカバー部の頂面部分が上方に向かって凸の半円形状で且つ雪が滑り落ちる滑らかな表面になっており、腕金を覆うカバー部の両側面部分がカバー部の頂面部分の下端側に滑らかに接続され且つ雪が滑り落ちる滑らかな表面になっているため、腕金への積雪を防止でき、腕金への積雪に起因するつららの発生及びつららの落下を防止できる。
【図面の簡単な説明】
【０００９】
【図１】本発明の第１実施形態に係る腕金積雪防止具を説明するための図であり、図１（ａ）が腕金積雪防止具の正面図、図１（ｂ）が図１（ｃ）のＡ１−Ａ１線に沿って切断して示す腕金積雪防止具の断面図、図１（ｃ）が腕金積雪防止具の側面図である。
【図２】シート状の永久磁石を示す図であり、図２（ａ）がシート状の永久磁石の平面図、図２（ｂ）がシート状の永久磁石の正面図、図２（ｃ）がシート状の永久磁石の側面図である。
【図３】リング状の永久磁石を示す図であり、図３（ａ）がリング状の永久磁石の正面図、図３（ｂ）がリング状の永久磁石の側面図である。
【図４】本発明の第２実施形態に係る腕金積雪防止具を示す図であり、図４（ａ）が腕金積雪防止具の正面図、図４（ｂ）が図４（ｃ）のＡ２−Ａ２線に沿って切断して示す腕金積雪防止具の断面図、図４（ｃ）が腕金積雪防止具の側面図である。
【図５】本発明の第３実施形態に係る腕金積雪防止具を示す図であり、図５（ａ）が腕金積雪防止具の正面図、図５（ｂ）が図５（ｃ）のＡ３−Ａ３線に沿って切断して示す腕金積雪防止具の断面図、図５（ｃ）が腕金積雪防止具の側面図である。
【図６】本発明の第４実施形態に係る腕金積雪防止具を示す図であり、図６（ａ）が腕金積雪防止具の正面図、図６（ｄ）が蓋部材を取り外して示す腕金積雪防止具の正面図、図６（ｃ）が図６（ｄ）のＡ４−Ａ４線に沿って切断して示す腕金積雪防止具の断面図、図６（ｄ）が腕金積雪防止具の側面図である。
【図７】本発明の第４実施形態に係る腕金積雪防止具を示す図であり、第２カバー部を第１カバー部内から引き出した状態を示す図である。
【図８】従来のカバーの使用状態を示す図である。
【発明を実施するための形態】
【００１０】
以下、本発明の実施形態を図面に基づき詳述する。
【００１１】
［第１実施形態］
図１は、本発明の第１実施形態に係る腕金積雪防止具１を説明するための図である。なお、図１（ａ）が腕金積雪防止具１の正面図であり、図１（ｂ）が図１（ｃ）のＡ１−Ａ１線に沿って切断して示す腕金積雪防止具１の断面図であり、図１（ｃ）が腕金積雪防止具１の側面図である。
【００１２】
この図１に示すように、腕金積雪防止具１は、電線を支持する腕金２に取り付けられて、雪が腕金２に積もるのを防止するものである。この腕金積雪防止具１は、腕金２の上面３に乗せられるベース部４と、このベース部４に固定された透明なカバー部５と、を有している。なお、ベース部４及びカバー部５は、絶縁性樹脂材料（例えば、ポリカーボネート）で形作られている。また、腕金２は、角パイプ形状になっている。
【００１３】
ベース部４は、下側に向かって開口する断面略コ字形状で且つ腕金２の上部に嵌め込むように係合される下側ベース部６と、上側に向かって開口する断面略コ字形状で且つ下側ベース部６と背中合わせに接着された上側ベース部７と、で構成されている。このベース部４は、腕金２の長手方向（図１（ｃ）のＹ軸に沿った方向）に直交する断面の形状がＨ形状になっており、腕金２の長手方向に沿った所定長さ（例えば、高圧ピン碍子間の寸法を考慮した長さ）に形成されている。そして、上側ベース部７の上面８には、シート状の永久磁石１０（ラバーマグネット）が接着されている。
【００１４】
シート状の永久磁石１０は、図２に示すように、短冊状に形成され、Ｎ極に着磁された部分（Ｎ極部分）１０ａとＳ極に着磁された部分（Ｓ極部分）１０ｂとが腕金２の長手方向に沿って交互に複数配置されている。そして、このシート状の永久磁石１０は、上面１１が黄色に着色されている。
【００１５】
カバー部５は、ベース部４の両側面１２，１２に接着剤で固定され、ベース部４の上面８側と、ベース部４の両側面１２，１２及び腕金２の両側面１３，１３を覆っている。このカバー部５は、頂面部分１４、第１側面部分１５、及び第２側面部分１６を有している。このカバー部５の頂面部分１４は、ベース部４の上方（図１（ｂ）のＺ軸に沿った方向）に位置し、腕金２の長手方向に対して直交する断面の形状が上方に向かって凸の半円形状で且つ雪が滑り落ちる滑らかな表面になっている。また、このカバー部５の第１側面部分１５は、頂面部分１４の一方の下端側に滑らかに接続されて、ベース部４の一方の側面１２及び腕金２の一方の側面１３を覆うようになっており、腕金２の一方の側面１３に沿って位置し、雪が滑り落ちる滑らかな表面になっている。また、このカバー部５の第２側面部分１６は、頂面部分１４の他方の下端側に滑らかに接続されて、ベース部４の他方の側面１２及び腕金２の他方の側面１３を覆うようになっており、腕金２の他方の側面１３に沿って位置し、雪が滑り落ちる滑らかな表面になっている。そして、このカバー部５の第１側面部分１５及び第２側面部分１６は、腕金２の下方まで延びており、腕金２の下面１７に沿って配置された合成樹脂製の留め具１８（例えば、ボルト１８ａとナット１８ｂ）によって、腕金２の両側面１３，１３を挟み込むようにして腕金２に固定されている。
【００１６】
また、カバー部５は、ベース部４の上方を取り囲むようにして空間２０を形成し、頂面部分１４の内面２１の中央に吊り下げ線２２（柔軟に変形できるステンレス鋼、合成樹脂材料、カーボン等の線材）が取り付けられ、この吊り下げ線２２によって吊り下げられたリング状の永久磁石２３が空間２０内で揺れ動くことができるようになっている。このカバー部５の内側の空間２０内に吊り下げられたリング状の永久磁石２３は、図３に示すように、フェライト磁石やネオジム磁石等を略中空円板状に加工して形成されたものであり、表裏の一方側がＮ極に着磁され、表裏の他方側がＳ極に着磁されている。
【００１７】
また、カバー部５は、腕金２の上方側で、且つ、腕金２の長手方向に沿った両端が開口しており、その両端の開口部分２４にそれぞれ蓋部材２５が接着され、開口部分２４が蓋部材２５で塞がれている。その結果、カバー部５の内側の空間２０内には、雪や埃等が吹き込むことがなく、鳥や蛇等の生物の侵入がない。なお、蓋部材２５は、カバー部５と同様の材料で形成されており、雪が滑り落ちる滑らかな表面になっている。
【００１８】
以上のように構成された腕金積雪防止具１は、不規則に揺れ動くリング状の永久磁石２３を除き、腕金２の長手方向に直交する断面において、腕金２の幅方向（図１（ｂ）のＸ軸に沿った方向）の中央を通る中心線２６に対して線対称の形状になっている。
【００１９】
以上のような本実施形態に係る腕金積雪防止具１は、腕金２を覆うカバー部５の頂面部分１４が上方に向かって凸の半円形状で且つ雪が滑り落ちる滑らかな表面になっており、腕金２を覆うカバー部５の両側面部分（第１側面部分１５及び第２側面部分１６）がカバー部５の頂面部分１４の下端側に滑らかに接続され且つ雪が滑り落ちる滑らかな表面になっているため、腕金２への積雪を防止でき、腕金２への積雪に起因するつららの発生及びつららの落下を防止できる。
【００２０】
また、本実施形態に係る腕金積雪防止具１は、カバー部５の頂面部分１４が上方に向かって凸の半円形状であるため、強風時の風圧等の外圧がカバー部５の頂面部分１４に作用しても、風圧等の外圧に起因する変形を抑えることができる。
【００２１】
また、本実施形態に係る腕金積雪防止具１は、カバー部５の両側面部分（第１側面部分１５及び第２側面部分１６）の下端側が留め具１８によって腕金２に固定されているため、強風時の風圧等の外圧によって腕金２から脱落させられることがなく、積雪防止機能を確実に且つ長期間発揮することができる。
【００２２】
また、本実施形態に係る腕金積雪防止具１は、Ｎ極とＳ極が交互に着磁されたシート状の永久磁石１０がベース部４の上面８に固定されているため、地磁気で方位がわかる鳥類がシート状の永久磁石１０の磁力の作用を嫌がり、地磁気で方位がわかる鳥類を腕金２から遠ざけることができ、営巣等に起因する鳥害を防止できる。
【００２３】
また、本実施形態に係る腕金積雪防止具１は、カバー部５の内側の空間２０内にリング状の永久磁石２３が吊り下げられており、風圧等の変化でカバー部５が振動すると、カバー部５の内側に吊り下げ線２２で吊り下げられたリング状の永久磁石２３が揺り動かされると共に、リング状の永久磁石２３がシート状の永久磁石１０の影響を受けて不規則に運動する。その結果、腕金積雪防止具１の周囲には、不規則な磁力の変化が生じ、シート状の永久磁石１０の効果と相俟って、地磁気で方位がわかる鳥類を腕金２から遠ざける効果がより一層向上する。
【００２４】
また、本実施形態に係る腕金積雪防止具１は、シート状の永久磁石１０の上面１１を黄色に着色してあり、カラス等の鳥類が透明なカバー部５を介して黄色のシート状の永久磁石１０を視認できるため、カラス等の鳥類がシート状の永久磁石１０の黄色と腕金２等の周囲の色との対比によって蛇等の天敵がいると誤認する。その結果、本実施形態に係る腕金積雪防止具１は、シート状の永久磁石１０やリング状の永久磁石２３の効果と相俟って、カラス等の鳥類を腕金２から遠ざける効果がより一層向上する。なお、シート状の永久磁石１０の上面１１は、黄色の帯状部分と黒色の帯状部分を交互に着色し、カラス等の鳥類が蛇等の天敵がいると誤認し易くすることにより、カラス等の鳥類を腕金２から遠ざける効果がより一層向上する。
【００２５】
また、本実施形態に係る腕金積雪防止具１は、カバー部５の開口部分２４が蓋部材２５で塞がれているため、カバー部５の内側の空間２０内に雪や埃等が吹き込むことがなく、カバー部５の内側の空間１０内に鳥や蛇等の生物の侵入がない。
【００２６】
なお、本実施形態に係る腕金積雪防止具１は、鳥類を腕金２から遠ざける効果がシート状の永久磁石１０のみによって十分に発揮される場合、リング状の永久磁石２３をカバー部５の内側の空間２０内に吊り下げるのを省略してもよい。
【００２７】
また、本実施形態に係る腕金積雪防止具１は、リング状の永久磁石２３をカバー部５の内側の空間２０に単数だけ吊り下げるようになっているが、これに限られず、リング状の永久磁石２３をカバー部５の内側の空間２０に複数吊り下げるようにしてもよい。
【００２８】
また、本実施形態に係る腕金積雪防止具１は、複数のリング状の永久磁石２３をカバー部５の内側の空間２０に吊り下げることによって、鳥類を腕金２から遠ざけることができる場合、シート状の永久磁石１０を省略してもよい。
【００２９】
また、本実施形態に係る腕金積雪防止具１は、シート状の永久磁石１０又はリング状の永久磁石２３によって鳥類を遠ざけることができる場合、シート状の永久磁石１０の上面１１を黄色に着色しなくてもよい。
【００３０】
また、本実施形態に係る腕金積雪防止具１は、シート状の永久磁石１０を省略する場合、ベース部４の上面８を黄色に着色してもよい。
【００３１】
また、本実施形態に係る腕金積雪防止具１は、シート状の永久磁石１０の上面１１又はベース部４の上面８を黄色に着色しない場合、カバー部５を透明にしなくてもよい。
【００３２】
また、本実施形態に係る腕金積雪防止具１は、絶縁性樹脂材料で形成される場合に限定されるものではなく、セラミックスや絶縁性金属材料で一部又は全体を形成してもよい。
【００３３】
また、本実施形態に係る腕金積雪防止具１は、上側ベース部７を省略し、シート状の永久磁石１０を下側ベース６の上面に接着してもよい。
【００３４】
［第２実施形態］
図４は、本発明の第２実施形態に係る腕金積雪防止具１を示す図である。なお、図４（ａ）が腕金積雪防止具１の正面図であり、図４（ｂ）が図４（ｃ）のＡ２−Ａ２線に沿って切断して示す腕金積雪防止具１の断面図であり、図４（ｃ）が腕金積雪防止具１の側面図である。
【００３５】
本実施形態に係る腕金積雪防止具１は、ベース部４の構成を除き、他の構成が第１実施形態に係る腕金積雪防止具１と同様であるため、第１実施形態に係る腕金積雪防止具１と同様の構成部分には同一符号を付し、第１実施形態に係る腕金積雪防止具１の説明と重複する説明を省略する。
【００３６】
図４に示すように、本実施形態に係る腕金積雪防止具１において、ベース部４は、第１実施形態に係る腕金積雪防止具１の下側ベース部６と上側ベース部７を一体に形成した構造になっている。このような本実施形態に係る腕金積雪防止具１は、第１実施形態に係る腕金積雪防止具１と同様の効果を得ることができる。
【００３７】
［第３実施形態］
図５は、本発明の第３実施形態に係る腕金積雪防止具１を示す図である。なお、図５（ａ）が腕金積雪防止具１の正面図であり、図５（ｂ）が図５（ｃ）のＡ３−Ａ３線に沿って切断して示す腕金積雪防止具１の断面図であり、図５（ｃ）が腕金積雪防止具１の側面図である。
【００３８】
本実施形態に係る腕金積雪防止具１は、第１実施形態に係る腕金積雪防止具１の変形例であり、第１実施形態に係る腕金積雪防止具１と同様の構成部分には同一符号を付し、第１実施形態に係る腕金積雪防止具１と重複する説明を省略する。
【００３９】
図５に示すように、本実施形態に係る腕金積雪防止具１において、ベース部４は、第１実施形態に係る腕金積雪防止具１の下側ベース部６が省略された形状になっており、幅寸法が腕金２の幅寸法と同一に形成され、カバー部５の第１側面部分１５及び第２側面部分１６が腕金２の側面１３，１３に密着するように構成されている。このような本実施形態に係る腕金積雪防止具１は、第１実施形態に係る腕金積雪防止具１と同様の効果を得ることができる。
【００４０】
［第４実施形態］
図６は、本発明の第４実施形態に係る腕金積雪防止具１を示す図であり、第１実施形態に係る腕金積雪防止具１の変形例を示す図である。なお、図６（ａ）が腕金積雪防止具１の正面図であり、図６（ｄ）が蓋部材２５を取り外して示す腕金積雪防止具１の正面図であり、図６（ｃ）が図６（ｄ）のＡ４−Ａ４線に沿って切断して示す腕金積雪防止具１の断面図であり、図６（ｄ）が腕金積雪防止具１の側面図である。また、図６に示す本実施形態に係る腕金積雪防止具１は、第１実施形態に係る腕金積雪防止具１と同様の構成部分に同一符号を付し、第１実施形態に係る腕金積雪防止具１の説明と重複する説明を省略する。
【００４１】
図６に示すように、本実施形態に係る腕金積雪防止具１は、ベース部４が第１ベース部２７と第２ベース部２８とを有している。このベース部４の第１ベース部２７は、腕金２の上部に係合された状態で、腕金２に固定されるようになっている。また、ベース部４の第２ベース部２８は、第１ベース部２７に対してスライド可能に取り付けられて、腕金２の長手方向（図６（ｄ）のＹ軸方向）に沿って移動させられる。カバー部５は、第１ベース部２７に固定される第１カバー部３０と、第１カバー部３０の内側にスライド可能に配置されて第２ベース部２８に固定される第２カバー部３１と、を有している。なお、第１ベース部２７及び第２ベース部２８は、第１実施形態に係る腕金積雪防止具１のベース部４と同様に絶縁性樹脂材料で形成されている。また、第１カバー部３０及び第２カバー部３１は、第１実施形態に係る腕金積雪防止具１のカバー部５と同様に透明の絶縁性樹脂材料で形成されている。
【００４２】
第１ベース部２７は、ガイド突起３２が上面３３の幅方向（図６（ｂ）、図６（ｃ）のＸ軸方向）の中央で且つ上面３３の長手方向（図６（ｄ）のＹ軸方向）の一端側から他端側まで一体に形成されている。ガイド突起３２は、正面側の形状がＴ字形状であり、第１ベース部２７の上面３３からＺ軸方向に沿って形成されているガイド壁３４、及びそのガイド壁３４の上端に直交し且つガイド壁３４の両側に張り出す頭部３５を有している。このガイド突起３２は、第２ベース部２８に係合され、第２ベース部２８が第１ベース部２７に対してスライド移動をするのを案内するようになっている。そして、ガイド壁３４の両側に位置する第１ベース部２７の上面３３には、シート状の永久磁石１０が接着されている。なお、このシート状の永久磁石１０は、Ｎ極とＳ極とが腕金２の長手方向（図６（ｄ）のＹ軸方向）に沿って交互に複数配置されるようになっており、上面が黄色に着色されている。
【００４３】
また、第１ベース部２７は、両側壁３６，３６が長手方向（図６（ｄ）のＹ軸方向）の途中で切り欠かれている。そして、第１ベース部２７の両側壁３６，３６の切り欠かれた端面３７は、第１カバー部３０の内側に全体が収容された第２カバー部３１の端面３８を突き当てることができ、第２カバー部３１の収容状態における位置決めをすることができるようになっている。また、両側壁３６，３６の下方へ延びる両下側壁部分４０，４０は、腕金２の両側面１３，１３に係合させられている。また、両側壁３６，３６の上方へ延びる両上側壁部分４１，４１は、第２ベース部２８の両側面４２，４２に僅かな隙間をもって係合させられている。そして、両側壁３６，３６の外側面には、第１カバー部３０が接着されている。
【００４４】
第２ベース部２８は、正面側の形状が略矩形形状の枠体であり、第１ベース部２７のガイド壁３４に僅かな隙間を持って係合するガイド溝４３が形成されている。この第２ベース部２８のガイド溝４３は、第２ベース部２８の幅方向（図６（ｂ）のＸ軸方向）の中央に位置し、第２ベース部２８の長手方向（図６（ｄ）のＹ軸方向）の一端側から他端側まで形成されている。また、第２ベース部２８の内部空間４４には、ガイド突起３２の頭部３５が僅かな隙間を持って係合されている。また、第２ベース部２８の幅方向の両側面４２，４２には、第２カバー部２８が接着されている。また、第２ベース部２８の上面４５には、シート状の永久磁石１０が接着されている。なお、このシート状の永久磁石１０は、Ｎ極とＳ極とが腕金２の長手方向（図６（ｄ）のＹ軸方向）に沿って交互に複数配置されるようになっており、上面が黄色に着色されている。
【００４５】
このような第２ベース部２８は、図７に示すように、第１ベース部２７上をスライド移動させて、第２カバー部３１を第１カバー部３０の内側から引き出すことができる。この際、第２ベース部２８は、第１ベース部２７の両上側壁部分４１，４１及びガイド突起３２に案内されて、第１ベース部２７上を円滑にスライド移動させられる。また、第２ベース部２８は、第１ベース部２７の上方（図６（ｂ）のＺ軸に沿った方向）へ浮き上がるのをガイド突起３２の頭部３５によって抑えられる。そして、この第２ベース部２８に接着された第２カバー部３１は、第２ベース部２８が図６の収容された状態から引き出されると、第２ベース部２８と共に第１カバー部２７の内側から引き出される（図７参照）。
その結果、本実施形態に係る腕金積雪防止具１は、全長を長くすることができるため、腕金２上のスペースに応じて長さを変更でき、腕金２を確実に覆い、腕金２への積雪を確実に防止できる。
【００４６】
第２カバー部３１は、図６に示すように、第１カバー部３０の内側に完全に収容された状態において、第１カバー部３０と共に留め具１８によって腕金２に固定される。また、この第２カバー部３１は、図７に示すように、第１カバー部２７の内側から引き出された場合、第１カバー部２７とは別に、留め具１８によって腕金２に固定される（図７参照）。なお、第２カバー部２８の下端側には、留め具１８の軸部１８ａに係合される長穴４６が形成されている。この長穴４６は、第２カバー部３１の端面３８側に開口している。その結果、第２カバー部２８は、長穴４６に係合する留め具１８のナット１８ｂを緩めることにより、第１カバー部３０に対してスライドさせることが可能になる。
【００４７】
以上のような本実施形態に係る腕金積雪防止具１は、第１実施形態に係る腕金積雪防止具１と同様の効果を得ることができるのはもちろんのこと、腕金２上のスペースに応じて長さを変更でき、腕金２上への積雪をより一層確実に防止できる。
【００４８】
なお、本実施形態において、第１カバー部３０及び第２カバー部３１は、第１実施形態に係る腕金積雪防止具１のカバー部５と同様に、半円形状の頂面部分と、この頂面部分の下端に滑らかに接続される第１側面部分及び第２側面部分と、を有している。
【００４９】
［その他の実施形態］
なお、本発明に係る腕金積雪防止具１は、絶縁性樹脂材料としてのポリカーボネートに限定されず、使用条件に応じた最適の絶縁性樹脂材料が選択使用される。
【符号の説明】
【００５０】
１……腕金積雪防止具、２……腕金、４……ベース部、５……カバー部、１２，１３……側面、１４……頂面部分、１５……第１側面部分、１６……第２側面部分、２４……開口部分、２５……蓋部材
【図１】
0005931969.tif 000002
【図２】
0005931969.tif 000003
【図３】
0005931969.tif 000004
【図４】
0005931969.tif 000005
【図５】
0005931969.tif 000006
【図６】
0005931969.tif 000007
【図７】
0005931969.tif 000008
【図８】
0005931969.tif 000009